(57)【要約】【課題】シーソー式入力装置において、スイッチ操作感の悪化抑制と衝突音回避との両立を図る。【解決手段】回動支点２０ａを中心として互いに反対方向に回動するシーソーノブ２０と、互いに距離を隔てて配置された第１スイッチ３１および第２スイッチ３２と、これらのスイッチ３１、３２とシーソーノブ２０との間に配置され、回動支点４０ａを中心として互いに反対方向に回動する中間部材４０と、を備える。そして、シーソーノブ２０が一方の側に回動した場合には、シーソーノブ２０に押されて中間部材４０も一方の側に回動し、該中間部材４０により第１スイッチ３１が作動され、シーソーノブ２０が他方の側に回動した場合には、シーソーノブ２０に押されて中間部材４０も他方の側に回動し、該中間部材４０により第２スイッチ３２が作動されるように構成する。【選択図】図２
2013251235.tif 000002
【特許請求の範囲】
【請求項１】
回動支点（２０ａ）を有し、該回動支点を中心として互いに反対方向に回動するシーソー構造とされたシーソーノブ（２０）と、
互いに距離を隔てて配置された第１スイッチ（３１）および第２スイッチ（３２）と、
前記第１および第２スイッチと前記シーソーノブとの間に配置され、回動支点（４０ａ）を有し、該回動支点を中心として互いに反対方向に回動するシーソー構造とされた中間部材（４０）と、を備え、
前記シーソーノブが一方の側に回動した場合には、前記シーソーノブに押されて前記中間部材も一方の側に回動し、該中間部材により前記第１スイッチが作動され、
前記シーソーノブが他方の側に回動した場合には、前記シーソーノブに押されて前記中間部材も他方の側に回動し、該中間部材により前記第２スイッチが作動されるように構成されていることを特徴とするシーソー式入力装置。
【請求項２】
前記シーソーノブが回動する際の回動中心線と、前記中間部材が回動する際の回動中心線とが平行となるように、前記シーソーノブおよび前記中間部材が配置されていることを特徴とする請求項１に記載のシーソー式入力装置。
【請求項３】
前記シーソーノブおよび前記中間部材には、互いに接触して、前記回動操作に伴い摺動する摺動面（２１ｂ、４３ａ、２２ｂ、４４ａ）が形成されており、
これらの前記摺動面は、前記シーソーノブおよび前記中間部材が回動の半径方向へずれることを互いに規制する形状に形成されていることを特徴とする請求項１または２に記載のシーソー式入力装置。
【請求項４】
前記シーソーノブのうち前記中間部材と当接する位置から前記シーソーノブの回転中心までの、前記第１スイッチまたは前記第２スイッチの作動方向における距離をノブ長さ（Ｌ１）、
前記中間部材のうち前記第１スイッチまたは前記第２スイッチと当接する位置から前記中間部材の回転中心までの前記作動方向における距離を中間長さ（Ｌ２）、とした場合において、
前記中間長さが前記ノブ長さよりも短くなるように構成されていることを特徴とする請求項１〜３のいずれか１つに記載のシーソー式入力装置。
【請求項５】
前記シーソーノブのうち前記中間部材を押して回動させる部分は、前記中間部材と線接触する形状に形成されていることを特徴とする請求項１〜４のいずれか１つに記載のシーソー式入力装置。
【発明の詳細な説明】
【技術分野】
【０００１】
本発明は、回動支点を中心として互いに反対方向に回動可能なシーソーノブを備え、回動するシーソーノブによりスイッチを作動させるシーソー式入力装置に関する。
【背景技術】
【０００２】
従来、この種のシーソー式入力装置は特許文献１等に開示されており、図７（ａ）に示すように、回転軸１２を中心として互いに反対方向に回動するシーソーノブ２０ｘと、互いに距離を隔てて配置された第１スイッチ３１および第２スイッチ３２と、を備える。そして、シーソーノブ２０ｘを一方の側に回動させるように操作すると、シーソーノブ２０ｘに形成された第１ピン２１ｘの下端２１ａｘが第１スイッチ３１を押して、第１スイッチ３１が作動する。同様にして、シーソーノブ２０ｘを他方の側に回動操作すると、シーソーノブ２０ｘに形成された第２ピン２２ｘの下端２２ａｘが第２スイッチ３２を押して、第２スイッチ３２が作動する。
【０００３】
ここで、シーソーノブ２０は意匠パネル１０の開口部１０ａに配置されているが、スイッチ３１、３２の配置レイアウト上、意匠パネル１０からスイッチ３１、３２までの距離Ｌが長くなることがあり、この場合、ピン２１ｘ、２２ｘが長くなる。すると、回転軸１２を中心としたピン下端２１ａｘ、２２ａｘの動作軌跡（一点鎖線参照）が、スイッチ３１、３２の作動方向（図７の上下方向）に対して斜めになる。換言すれば、前記動作軌跡の円弧のうちスイッチ３１、３２と交わる箇所での接線と、スイッチ３１、３２の作動方向との交差角度が大きくなる。そのため、スイッチ３１、３２の操作感（押圧フィーリング）が悪くなる。
【先行技術文献】
【特許文献】
【０００４】
【特許文献１】特開２００４−３２７２７６号公報
【発明の概要】
【発明が解決しようとする課題】
【０００５】
上記操作感の問題に対し、本発明者らは図７（ｂ）に示すシーソー式入力装置を検討した。すなわち、第１ピン４１ｙおよび第２ピン４２ｙをシーソーノブ２０ｙとは別体に形成し、これらのピン４１ｙ、４２ｙがシーソーノブ２０ｙの当接部２０ｂｙに押されて上下方向に作動する構成である。これによれば、意匠パネル１０からスイッチ３１、３２までの距離Ｌが長く、ピン４１ｙ、４２ｙを長くせざるを得ない場合であっても、ピン下端４１ａｙ、４２ａｙの動作軌跡が、スイッチ３１、３２の作動方向と略平行になるので、スイッチ３１、３２の操作感悪化を回避できる。
【０００６】
しかしながら、この構成の場合、第１ピン４１ｙで第１スイッチ３１を押した図７（ｂ）の状態では、シーソーノブ２０ｙの当接部２０ｂｙと第２ピン４２ｙの上端４２ｂｙとの間に隙間が生じる。そのため、シーソーノブ２０ｙを図７（ｃ）の状態に戻した時に、当接部２０ｂｙが第２ピン上端４２ｂｙに衝突して音が発生する。
【０００７】
本発明は、上記問題を鑑みてなされたもので、その目的は、スイッチ操作感の悪化抑制と衝突音回避との両立を図ったシーソー式入力装置を提供することにある。
【課題を解決するための手段】
【０００８】
上記目的を達成する発明は以下の点を特徴とする。すなわち、回動支点を有し、該回動支点を中心として互いに反対方向に回動するシーソー構造とされたシーソーノブと、互いに距離を隔てて配置された第１スイッチおよび第２スイッチと、前記第１および第２スイッチと前記シーソーノブとの間に配置され、回動支点を有し、該回動支点を中心として互いに反対方向に回動するシーソー構造とされた中間部材（４０）と、を備える。
【０００９】
そして、前記シーソーノブが一方の側に回動した場合には、前記シーソーノブに押されて前記中間部材も一方の側に回動し、該中間部材により前記第１スイッチが作動され、前記シーソーノブが他方の側に回動した場合には、前記シーソーノブに押されて前記中間部材も他方の側に回動し、該中間部材により前記第２スイッチが作動されるように構成されていることを特徴とする。
【００１０】
上記発明によれば、シーソーノブの回動と連動して中間部材が回動し、中間部材を介して第１および第２スイッチを作動させることとなる。そのため、中間部材のうちスイッチに当接する部位の、回動支点を中心とした動作軌跡（図２中の一点鎖線参照）が、スイッチの作動方向（図２の上下方向）に対して斜めになることを抑制できる。よって、シーソーノブの操作面からスイッチまでの距離（図７（ａ）中の符号Ｌ参照）が長い場合であっても、スイッチ操作感（押圧フィーリング）の悪化を抑制できる。
【００１１】
また、上記発明によれば、シーソーノブの回動と連動して中間部材が回動するため、シーソーノブのうち回動支点を中心とした両側部分が、中間部材のうち回動支点を中心とした両側部分と接触したまま回動するように構成できる（図２参照）。よって、スイッチを押した状態から戻した時にシーソーノブが中間部材に衝突することを回避できる。以上により、上記発明によればスイッチ操作感の悪化抑制と衝突音回避との両立を図ることができる。
【図面の簡単な説明】
【００１２】
【図１】本発明の第１実施形態にかかるシーソー式入力装置の断面模式図。
【図２】図１に示すスイッチオフ状態のシーソー式入力装置を、スイッチオンさせた状態を示す図。
【図３】本発明の第２実施形態にかかるシーソー式入力装置の断面模式図。
【図４】本発明の第３実施形態にかかるシーソー式入力装置の断面模式図。
【図５】図４の模式図を詳細に示した部品分解図。
【図６】図５に示す各部品を組み付けた状態を示した組付図。
【図７】（ａ）は、シーソーノブとピンを一体に形成した従来装置の断面模式図、（ｂ）は、シーソーノブとピンを別体にした検討装置の断面模式図。
【発明を実施するための形態】
【００１３】
以下、本発明にかかるシーソー式入力装置の各実施形態について、図面を参照しつつ説明する。なお、以下の各実施形態相互において、互いに同一もしくは均等である部分には、図中、同一符号を付しており、同一符号の部分についてはその説明を援用する。
【００１４】
（第１実施形態）
本実施形態にかかるシーソー式入力装置は、車両に搭載されたものであり、図１に示す例では、車室内の前方部分に位置するインストルメントパネル（意匠パネル１０）に配置されている。このシーソー式入力装置は、以下に説明するシーソーノブ２０、基板３０および中間部材４０を備えて構成されている。なお、シーソーノブ２０および中間部材４０は樹脂製である。
【００１５】
図１に示すように、シーソーノブ２０は、意匠パネル１０の開口部１０ａに配置されており、車両乗員の指先で操作されるものである。意匠パネル１０には樹脂製の回転軸１２が形成されており、この回転軸１２と嵌合する軸受穴２０ａ（回動支点）がシーソーノブ２０には形成されている。シーソーノブ２０は、軸受穴２０ａを中心として互いに反対方向に回動するシーソー構造である。例えば、シーソーノブ２０の操作面のうち軸受穴２０ａの左側をユーザーが押すと、図２に示すように、軸受穴２０ａを中心に反時計回りにシーソーノブ２０は回動する。
【００１６】
基板３０は、意匠パネル１０の内部に配置されており、互いに距離を隔てて配置された第１スイッチ３１および第２スイッチ３２が実装されている。これらのスイッチ３１、３２は押しボタン式であり、意匠パネル１０の意匠面に対して垂直な方向（図１の上下方向）に作動するように基板３０は配置されている。
【００１７】
両スイッチ３１、３２の作動部３１ａ、３２ａには弾性力が付与されており、この弾性力に抗して作動部３１ａ、３２ａを図１の下方に押し動かすことで、スイッチ３１、３２はオン作動する。なお、作動部３１ａ、３２ａはゴム製であり、自身が弾性変形して前記弾性力を発揮するように構成してもよいし、図示しないばね部材により前記弾性力を発揮させるように構成してもよい。
【００１８】
中間部材４０は、シーソーノブ２０とスイッチ３１、３２との間に配置されている。意匠パネル１０には樹脂製の回転軸１３が形成されており、この回転軸１３と嵌合する軸受穴４０ａ（回動支点）が中間部材４０には形成されている。中間部材４０は、軸受穴４０ａを中心として互いに反対方向に回動するシーソー構造である。例えば、中間部材４０のうち軸受穴４０ａの左側が下方に押されると、図２に示すように、軸受穴４０ａを中心に反時計回りに中間部材４０は回動する。
【００１９】
シーソーノブ２０には、中間部材４０に向けて延びる第１延出部２１および第２延出部２２が形成されている。これらの延出部２１、２２が延びる方向は、スイッチ３１、３２の作動方向（図１の上下方向）と一致する。そして、第１延出部２１の下端２１ａが、中間部材４０のうち軸受穴４０ａに対して一方側の部分に当接し、第２延出部２２の下端２２ａが、中間部材４０のうち軸受穴４０ａに対して他方側の部分に当接する。
【００２０】
中間部材４０には、第１スイッチ３１に向けて延びる第１中間延出部４１と、第２スイッチ３２に向けて延びる第２中間延出部４２とが形成されている。これらの中間延出部４１、４２が延びる方向は、スイッチ３１、３２の作動方向（図１の上下方向）と一致する。そして、第１中間延出部４１の下端４１ａは第１スイッチ３１に対向し、第２中間延出部４２の下端４２ａは第２スイッチ３２に対向する。
【００２１】
ユーザーがシーソーノブ２０を一方側へ回動操作して反時計回りに回動させると、第１延出部２１の下端２１ａが中間部材４０を押し動かして、中間部材４０も反時計回りに回動する。その結果、第１中間延出部４１の下端４１ａが第１スイッチ３１の作動部３１ａを押し下げて、第１スイッチ３１がオン作動する。このように反時計回りに回動する時、第２延出部２２の下端２２ａは中間部材４０に当接したままとなっている。
【００２２】
同様にして、シーソーノブ２０を他方側へ回動操作して時計回りに回動させると、第２延出部２２の下端２２ａが中間部材４０を押し動かして、中間部材４０も時計回りに回動する。その結果、第２中間延出部４２の下端４２ａが第２スイッチ３２の作動部３２ａを押し下げて、第２スイッチ３２がオン作動する。このように時計回りに回動する時、第１延出部２１の下端２１ａは中間部材４０に当接したままとなっている。
【００２３】
要するに、いずれの側へシーソーノブ２０を回動させる場合であっても、両延出部の下端２１ａ、２２ａが中間部材４０の表面上を摺動しながら、中間部材４０はシーソーノブ２０に押される。これにより、中間部材４０はシーソーノブ２０とともに回動する。
【００２４】
第１スイッチ３１をオン作動させた状態で、ユーザーがオフ作動させるべくシーソーノブ２０から指を放すと、第１スイッチ３１の作動部３１ａの弾性力により第１中間延出部４１が押し戻されて、中間部材４０は時計回りに回動する。その結果、第１延出部２１の下端２１ａが中間部材４０に押し動かされて、シーソーノブ２０も時計回りに回動する。第２スイッチ３２をオフ作動させる時も同様であり、第２スイッチ３２の弾性力により第２中間延出部４２が押し戻され、中間部材４０とともにシーソーノブ２０は反時計回りに回動する。
【００２５】
このようにスイッチ３１、３２をオフ作動させる時にも、第１および第２延出部２１、２２の下端２１ａ、２２ａは、両方とも中間部材４０に当接したままとなっている。要するに、オン作動およびオフ作動のいずれにおいても、第１および第２延出部２１、２２が両方とも中間部材４０に当接したまま、シーソーノブ２０および中間部材４０は連動して回動する。
【００２６】
なお、シーソーノブ２０の回動中心線とは、回転軸１２を通り、図１の紙面垂直方向に延びる線のことである。また、中間部材４０の回動中心線とは、回転軸１３を通り、図１の紙面垂直方向に延びる線のことである。そして、これらの回動中心線が平行となるように、シーソーノブ２０および中間部材４０は組み付けられている。
【００２７】
また、シーソーノブ２０のうち中間部材４０と当接する位置（下端２１ａ、２２ａの位置）からシーソーノブ２０の回転中心までの、スイッチ作動方向（図１の上下方向）における距離を「ノブ長さＬ１」と呼ぶ。また、中間部材４０のうちスイッチ３１、３２と当接する位置（下端４１ａ、４２ａの位置）から中間部材４０の回転中心までのスイッチ作動方向における距離を「中間長さＬ２」と呼ぶ。そして、中間長さＬ２がノブ長さＬ１よりも短くなるように、シーソーノブ２０および中間部材４０の形状は設定されている
以上により、本実施形態によれば、以下に列挙する効果が発揮される。
【００２８】
・シーソーノブ２０の回動と連動して中間部材４０が回動し、中間部材４０を介してスイッチ３１、３２を作動させるように構成されている。そのため、第１中間延出部４１の下端４１ａの動作軌跡（図２中の一点鎖線参照）が、スイッチ３１、３２の作動方向に対して斜めになることが抑制される。
【００２９】
換言すれば、前記動作軌跡の円弧のうちスイッチ３１、３２と交わる箇所での接線と、スイッチ３１、３２の作動方向とが交差する角度を小さくできる。よって、シーソーノブ２０の操作面（意匠パネル１０の意匠面）からスイッチ３１、３２までの距離（図７（ａ）中の符号Ｌ参照）が長い場合であっても、スイッチ操作感（押圧フィーリング）の悪化を抑制できる。
【００３０】
・本実施形態の構成によれば、シーソーノブ２０の操作面からスイッチ３１、３２までの距離Ｌに応じて、第１延出部２１および第２延出部２２の延出長さを調節すればよく、中間部材４０を介してスイッチ３１、３２を作動させる本実施形態によれば、前記延出長さを長くしても前記交差する角度を小さくしたままにして、スイッチ操作感の悪化を抑制できる。
【００３１】
換言すれば、前記延出長さを長くするほど、シーソーノブ２０の下端２１ａ、２２ａの動作軌跡（図２中の二点鎖線参照）がスイッチ作動方向と交差する角度は大きくなる。しかし、中間部材４０の下端４１ａ、４２ａの動作軌跡（図２中の一点鎖線参照）がスイッチ作動方向と交差する角度は小さいままにできるので、スイッチ操作感の悪化を抑制できる。
【００３２】
・本実施形態によれば、スイッチ３１、３２のオン作動およびオフ作動のいずれの場合においても、第１および第２延出部２１、２２が両方とも中間部材４０に当接したまま、シーソーノブ２０および中間部材４０は連動して回動する。よって、シーソーノブ２０が中間部材４０に衝突することを回避できる。以上により、本実施形態によれば、スイッチ操作感の悪化抑制と衝突音回避との両立を図ることができる。
【００３３】
ちなみに、図２のオン作動状態からオフ作動させると、第２中間延出部４２の下端４２ａが第２スイッチ３２に衝突する。しかし、スイッチ３１、３２の作動部３１ａ、３２ａはゴム製であるため、前記衝突による音はユーザーに対して無視できるほどに小さい。
【００３４】
・ここで、本発明者らが検討した図７（ｂ）の構成において、シーソーノブ２０ｙの当接部２０ｂｙとピン４１ｙ、４２ｙの上端４２ｂｙとの間にゴム部材を介在させて衝突音の消音を図ることを、本発明者らはさらに検討した。しかしながら、この構成にすると、ゴム部材を弾性変形させながらスイッチ３１、３２をオン作動させることになるので、シーソーノブ２０を操作した時にユーザーが感じる押圧フィーリングが、スイッチ３１、３２自体の押圧フィーリングと異なるものになる。
【００３５】
これに対し、本実施形態によれば、シーソーノブ２０の回動力を、中間部材４０を介してスイッチ３１、３２に伝達するにあたり、弾性変形させる箇所が存在することなく伝達されるので、シーソーノブ２０の操作感をスイッチ３１、３２自体の押圧フィーリングに近いものにでき、所望の操作感が妨げられることを抑制できる。
【００３６】
・さらに本実施形態によれば、シーソーノブ２０の回動中心線と中間部材４０の回動中心線とが平行に設定されているので、シーソーノブ２０の回動力を、中間部材４０を介してスイッチ３１、３２に伝達するにあたり、その伝達ロスを低減できる。よって、所望の操作感が妨げられることを抑制できる。
【００３７】
・ここで、中間延出部４１、４２を長くして中間長さＬ２を長くするほど、中間延出部の下端４１ａ、４２ａの動作軌跡（図２中の一点鎖線参照）が、スイッチ作動方向に対して斜めになる度合いが大きくなる。そのため、中間長さＬ２を短くすることが、スイッチ操作感の悪化抑制を図る上で望ましい。この点を鑑みた本実施形態では、中間長さＬ２をノブ長さＬ１よりも短く設定している。そのため、上述の如くスイッチ操作感の悪化抑制を促進できる。
【００３８】
（第２実施形態）
上記第１実施形態では、シーソーノブ２０の下端２１ａ、２２ａを、スイッチ作動方向に対して垂直な平坦形状に形成している。これに対し、図３に示す本実施形態では、シーソーノブ２０の下端２１ａ、２２ａをテーパ形状にすることで、シーソーノブ２０が中間部材４０と線接触する構成にしている。
【００３９】
シーソーノブ２０の下端２１ａ、２２ａが中間部材４０の表面上を摺動しながら、中間部材４０はシーソーノブ２０に押されることは先述した通りであるが、本実施形態では、シーソーノブ２０の下端２１ａ、２２ａをテーパ形状にして線接触させているので、中間部材４０と摺動抵抗を軽減できる。よって、シーソーノブ２０の回動力を、中間部材４０を介してスイッチ３１、３２に伝達するにあたり、その伝達ロスを低減できるので、所望の操作感が妨げられることを抑制できる。
【００４０】
（第３実施形態）
図４に示す本実施形態では、シーソーノブ２０の延出部２１、２２の下端部を、中間部材４０に形成された一対のリブ４３、４４で挟み込むように構成されている。そして、延出部２１、２２の側面２１ｂ、２２ｂ（摺動面）とリブ４３、４４の側面４３ａ、４４ａ（摺動面）とが互いに接触して摺動しつつ、シーソーノブ２０と中間部材４０が連動して回動するように構成されている。
【００４１】
ここで、回転軸１２と軸受穴２０ａとのクリアランスに起因して、シーソーノブ２０は回転径方向にずれながら回動するおそれがある。同様に、回転軸１３と軸受穴４０ａとのクリアランスに起因して、中間部材４０は回転径方向にずれながら回動するおそれがある。これに対し本実施形態では、延出部２１、２２をリブ４３、４４で挟み込んだ状態で回動させるので、シーソーノブ２０および中間部材４０が相対的にずれることを抑制できる。
【００４２】
換言すれば、延出部２１、２２の側面２１ｂ、２２ｂとリブ４３、４４の側面４３ａ、４４ａとを摺動させることにより、側面２１ｂ、２２ｂにより中間部材４０が半径方向にずれることが規制され、側面４３ａ、４４ａによりシーソーノブ２０が半径方向にずれることが規制される。よって、シーソーノブ２０の回動支点位置と中間部材４０の回動支点位置とが相対的にずれることを抑制できる。
【００４３】
図５および図６は、図４に示す模式的構成を実際の製品にした場合の一例を示す詳細図である。図示されるように、軸受穴２０ａは、円環の一部を切り欠いた形状に形成されており、この切欠き部分から回転軸１２を径方向に挿入することで、シーソーノブ２０の意匠パネル１０への組付方向を、スイッチ作動方向としている。中間部材４０の組付方向も、同様の構成によりスイッチ作動方向となっている。
【００４４】
ちなみに、図４の例では、意匠パネル１０に回転軸１３を形成し、中間部材４０に軸受穴４０ａを形成しているが、図５および図６の例では、意匠パネル１０に回転軸１３ａを形成し、中間部材４０に軸受穴４０ｂを形成している。
【００４５】
また、図６の例では中間長さＬ２をゼロに設定している。すなわち、図４の例では、スイッチ動作方向において、中間部材４０の下端４１ａ、４２ａを回転軸１３の下方に位置させているが、図６の例では、スイッチ動作方向において、中間部材４０の下端４１ａ、４２ａを回転軸１３の位置と一致させて、中間長さＬ２をゼロに設定している。そのため、下端４１ａ、４２ａの動作軌跡が、スイッチ作動方向に対して斜めになる度合いを最大限に小さくでき、スイッチ操作感の悪化抑制がより一層促進される。
【００４６】
（他の実施形態）
本発明は上記実施形態の記載内容に限定されず、以下のように変更して実施してもよい。また、各実施形態の特徴的構成をそれぞれ任意に組み合わせるようにしてもよい。
【００４７】
・上記第３実施形態では、延出部２１、２２の下端２１ａ、２２ａを中間部材４０に当接させて、シーソーノブ２０の回動力を下端２１ａ、２２ａから中間部材４０へ伝達させている。これに対し、延出部２１、２２の下端２１ａ、２２ａと中間部材４０とにクリアランスを設け、延出部２１、２２の側面２１ｂ、２２ｂからリブ４３、４４の側面４３ａ、４４ａへ回動力を伝達させるように構成してもよい。
【００４８】
・上記各実施形態では、スイッチ３１、３２と中間延出部４１、４２の延長線上に、シーソーノブ２０の延出部２１、２２の下端２１ａ、２２ａを位置させているが、この延長線上からずらした位置にシーソーノブ２０の下端２１ａ、２２ａが位置するようにシーソーノブ２０を形成してもよい。
【００４９】
・上記第３実施形態では、延出部２１、２２を両側からリブ４３、４４で挟み込んでおり、延出部の両側の側面２１ｂ、２２ｂをリブの側面４３ａ、４４ａで規制している。これに対し、延出部２１、２２の片側だけをリブ４３、４４で規制するように構成してもよい。
【００５０】
・上記各実施形態では、スイッチ作動方向に延びる中間延出部４１、４２を中間部材４０に形成しているが、図５および図６に例示されるように、中間延出部４１、４２を廃止して、中間部材４０の本体部分にスイッチ３１、３２を直接的に当接させるようにしてもよい。
【００５１】
・上記各実施形態では、回転軸１２、１３を意匠パネル１０に形成しているが、本発明はこれに限定されるものではなく、意匠パネル１０以外の部材に回転軸１２、１３を形成してもよい。また、シーソーノブ２０および中間部材４０の側に回転軸を形成し、意匠パネル１０等の部材に軸受穴を形成してもよい。
【００５２】
・上記第２実施形態では、シーソーノブ２０の下端２１ａ、２２ａをテーパ形状に形成しているが、円弧形状に形成して中間部材４０と線接触するように構成してもよい。
【符号の説明】
【００５３】
２０…シーソーノブ、２０ａ、４０ａ…軸受穴（回動支点）、３１…第１スイッチ、３２…第２スイッチ、４０…中間部材。
【図１】
2013251235.tif 000003
【図２】
2013251235.tif 000004
【図３】
2013251235.tif 000005
【図４】
2013251235.tif 000006
【図５】
2013251235.tif 000007
【図６】
2013251235.tif 000008
【図７】
2013251235.tif 000009